(57)【特許請求の範囲】
【請求項１】
開口部が上下方向に延設された昇降路と、
展望窓が形成されたかご室、該かご室の展望窓側の上部に配設されたかご上部外装、および該かご室の展望窓側の下部に配設されたかご下部外装を有し、該展望窓側を上記開口部から延出させて上記昇降路内に昇降可能に配設されたかごと、を備えた展望用エレベータ装置において、
上記開口部を塞ぎ、上記かご上部外装より上方に延出し、かつ上記かご下部外装より下方に延出するように上記かごに配設され、上記かごの上記開口部から延出する部分を外界側に露呈させる鏡面板を有し、
隠し枠が、上記開口部を挟む両昇降路側壁のそれぞれに上記昇降路の全高にわたって延設され、上記鏡面板の該両昇降路側壁側の端部を外界側から遮蔽していることを特徴とする展望用エレベータ装置。
【請求項２】
上記隠し枠の上記鏡面板の高さを超える領域が、該鏡面板の端部を遮蔽する位置と該鏡面板の端部を露呈させる位置とをとるように開閉可能に構成され、
上記鏡面板は、上記開口部の一側の上記昇降路側壁に面する上記かごの側面に軸心を上下方向とする軸周りに回動可能に取り付けられた第１側部鏡面板、上記開口部の他側の上記昇降路側壁に面する上記かごの側面に軸心を上下方向とする軸周りに回動可能に取り付けられた第２側部鏡面板、上記第１側部鏡面板の上部側と上記第２側部鏡面板の上部側とをつなぐように上記かご室の上部に取り付けられた上部鏡面板、および上記第１側部鏡面板の下部側と上記第２側部鏡面板の下部側とをつなぐように上記かご室の下部に取り付けられた下部鏡面板を有することを特徴とする請求項１記載の展望用エレベータ装置。
【請求項３】
上記隠し枠が開閉可能に構成された領域が、上記昇降路の最下階付近に形成されていることを特徴とする請求項２記載の展望用エレベータ装置。
【請求項４】
上記昇降路は、上記開口部が透明板により覆われたエンクローズ型の昇降路であり、
上記透明板が、スモーク状に形成されていることを特徴とする請求項１乃至請求項３のいずれか１項に記載の展望用エレベータ装置。
【請求項５】
上記鏡面板に反射率低下処理を施したことを特徴とする請求項１乃至請求項４のいずれか１項に記載の展望用エレベータ装置。
【請求項６】
上記展望窓は、上記開口部から延出し、かつ上記開口部の一側および他側に位置する部分が開閉可能に構成されていることを特徴とする請求項１乃至請求項５のいずれか１項に記載の展望用エレベータ装置。
【請求項７】
上記かご上部外装が、開閉可能に構成されていることを特徴とする請求項１乃至請求項６のいずれか１項に記載の展望用エレベータ装置。
【発明の詳細な説明】
【技術分野】
【０００１】
この発明は、展望用エレベータ装置に関し、特にかごを外界側から見たときの見栄えを向上させる技術に関するものである。
【背景技術】
【０００２】
従来の展望用エレベータ装置は、かご室が出入り口側、中間部および展望窓側の三つの部分に分割されている。そして、構造上、かご枠、ガイドレール、ガイドローラ、非常止め装置などがかご室の中間部にあり、昇降路スイッチ、カム、調速機装置、制御ケーブル、戸締め装置などがかご室の出入り口側にある。そこで、従来の展望用エレベータ装置では、外装がかご室の展望窓側の部分の上部および下部に装着され、これらのかごに付随する機器を外界側から見え難くして見栄えを向上させていた（例えば、特許文献１参照）。
【先行技術文献】
【特許文献】
【０００３】
【特許文献１】実開平０４−５６１８２号公報
【発明の概要】
【発明が解決しようとする課題】
【０００４】
従来の展望用エレベータ装置では、外装および展望窓がかご室の後方側のみにあるので、かごを外界側から見たときに、かごが小さく見えてしまうとともに、かごに付随する機器を完全に隠すことができず、見栄えが悪くなるという問題があった。
【０００５】
この発明は、このような課題を解決するためになされたものであって、鏡面板をかごに配設し、外界側から見たときに、展望窓、かご上部外装およびかご下部外装が鏡面板に映り、出入り口側まで延在しているようを見え、かつかごに付随する機器を隠し、見栄えを向上させることができる展望用エレベータ装置を得ることを目的とする。
【課題を解決するための手段】
【０００６】
この発明に係る展望用エレベータ装置は、開口部が上下方向に延設された昇降路と、
展望窓が形成されたかご室、該かご室の展望窓側の上部に配設されたかご上部外装、および該かご室の展望窓側の下部に配設されたかご下部外装を有し、該展望窓側を上記開口部から延出させて上記昇降路内に昇降可能に配設されたかごと、を備えている。そして、上記開口部を塞ぎ、上記かご上部外装より上方に延出し、かつ上記かご下部外装より下方に延出するように上記かごに配設され、上記かごの上記開口部から延出する部分を外界側に露呈させる鏡面板を有し、隠し枠が、上記開口部を挟む両昇降路側壁のそれぞれに上記昇降路の全高にわたって延設され、上記鏡面板の該両昇降路側壁側の端部を外界側から遮蔽している。
【発明の効果】
【０００７】
この発明によれば、鏡面板がかごの開口部から延出する部分を外界に露呈させるようにかごに配設されているので、展望窓、かご上部外装およびかご下部外装が鏡面板に映り、出入り口側まで延在しているようを見え、見栄えが向上される。
また、鏡面板が開口部を塞いでいるので、かごに付随する機器が外界から隠され、見栄えがさらに向上される。
【図面の簡単な説明】
【０００８】
【図１】この発明の実施の形態１に係る展望用エレベータ装置を示す横断面図である。
【図２】この発明の実施の形態１に係る展望用エレベータ装置のかごを外界側から見た斜視図である。
【図３】この発明の実施の形態２に係る展望用エレベータ装置を示す横断面図である。
【図４】この発明の実施の形態３に係る展望用エレベータ装置を示す横断面図である。
【図５】この発明の実施の形態３に係る展望用エレベータ装置のかごを外界側から見た斜視図である。
【図６】この発明の実施の形態４に係る展望用エレベータ装置を示す横断面図である。
【図７】この発明の実施の形態４に係る展望用エレベータ装置のかごを外界側から見た斜視図である。
【図８】この発明の実施の形態５に係る展望用エレベータ装置の要部を示す横断面図である。
【図９】この発明の実施の形態５に係る展望用エレベータ装置のかごを外界側から見た斜視図である。
【図１０】この発明の実施の形態５に係る展望用エレベータ装置における第１側部鏡面板の清掃作業を説明する腰部断面図である。
【図１１】この発明の実施の形態５に係る展望用エレベータ装置における第１側部鏡面板の清掃作業を説明する斜視図である。
【図１２】この発明の実施の形態５に係る展望用エレベータ装置における上部鏡面板の清掃作業を説明する斜視図である。
【図１３】この発明の実施の形態６に係る展望用エレベータ装置における上部鏡面板の清掃作業を説明する斜視図である。
【発明を実施するための形態】
【０００９】
実施の形態１．
図１はこの発明の実施の形態１に係る展望用エレベータ装置を示す横断面図、図２はこの発明の実施の形態１に係る展望用エレベータ装置のかごを外界側から見た斜視図である。
【００１０】
図１および図２において、昇降路１は、建物外壁に上下方向に開口する開口部２と、昇降路側面の建物外壁の一部である昇降路側壁３と、から構成され、開口部２が開放されたオープン型の昇降路である。そして、各階の乗り場には、出入り口４を開閉する乗り場扉５が設置されている。
かご７が、かご枠（図示せず）に保持されたかご室８と、かご室８の上部および下部に配設されたかご上部外装１５ａおよびかご下部外装１５ｂと、を備えている。
【００１１】
かご室８は、かご室８の側面の壁を構成する側壁９と、かご室８の背面側に形成された開口に透明なガラス板を嵌め込んで構成された展望窓１０と、かご室８の出入り口側に設けられた出入り口壁１１と、出入り口１２を開閉するかご扉１３と、側壁９、展望窓１０、および出入り口壁１１の上部に設置された天井（図示せず）と、側壁９と出入り口壁１１とが立設されたかご床１４と、から構成されている。
【００１２】
かご上部外装１５ａおよびかご下部外装１５ｂは、アルミニウム板、鋼板、樹脂板などを用い、展望窓１０側の上部および下部を覆うように、天井上部およびかご床１４の下部に配設されている。ブラケット１７を有する鏡面板１６は、ブラケット１７を側壁９の外面、天井の上面、およびかご床１４の下面に取り付けられた取付金具（図示せず）に締着固定されて、かご７に取り付けられている。この鏡面板１６は、展望窓１０、かご上部外装１５ａおよびかご下部外装１５ｂの出入り口側に、展望窓１０、かご上部外装１５ａおよびかご下部外装１５ｂに近接して、側壁９の外面、天井の上面、およびかご床１４の下面に直交するように、かご７に配設されている。また、鏡面板１６は、かご７から上下方向および間口方向に延出する外形形状に形成されている。なお、間口方向とは、かご扉１３の開閉方向である。
【００１３】
そして、かご７は、かご枠の縦枠の上下両端に取り付けられたガイドシュー２０をブラケット２１により昇降路側壁３に固定されて上下方向に延設されたかご用ガイドレール２２に摺動可能に係合させて、かご用ガイドレール２２に案内されて昇降路１内に昇降可能に配設されている。また、釣り合い重り２３が、ガイドシュー２４をブラケット２１により昇降路側壁３に固定されて上下方向に延設された釣り合い重り用ガイドレール２５に摺動可能に係合させて、釣り合い重り用ガイドレール２５に案内されて昇降路１内に昇降可能に配設されている。そして、かご７と釣り合い重り２３とが、主索（図示せず）により連結され、巻き上げ機（図示せず）の駆動により昇降路１内を昇降移動される。
【００１４】
外装ランプ１８が、かご上部外装１５ａおよびかご下部外装１５ｂに配設されている。制御ケーブル２６が、機械室の制御盤（図示せず）とかご７との間に架設されている。また、調速機ロープ２７が、機械室の調速機（図示せず）とピットに設けた張り車（図示せず）との間にエンドレスに張られ、片側の１箇所でかご７に設けた非常止め装置（図示せず）に連結されている。
【００１５】
このように構成された展望用エレベータ装置では、かご７が展望窓１０を開口部２から延出させ、かつかご７の鏡面板１６の反出入り口側を露呈させて昇降する。そして、鏡面板１６が、かご７から間口方向の両側に延出し、昇降路側壁３の先端部とかご７との間の隙間を塞いでおり、かご７の側部に取り付けられたガイドシュー２０やかご７に近接するかご用ガイドレール２２の部位などを隠している。また、鏡面板１６が、かご７から上下方向に延出し、かご室８の上部および下部に設置されている付随機器を隠している。
【００１６】
この実施の形態１によれば、鏡面板１６が、展望窓１０、かご上部外装１５ａおよびかご下部外装１５ｂの出入り口側に、展望窓１０、かご上部外装１５ａおよびかご下部外装１５ｂに近接して、側壁９の外面、天井の上面、およびかご床１４の下面に直交するように配設され、かご７から上下方向および間口方向に延出している。そこで、かご７を外界側から見たときに、かご室８の展望窓１０側、かご上部外装１５ａおよびかご下部外装１５ｂが図２に示されるように鏡面板１６に映って見える。これにより、展望窓１０があたかも出入り口側まであるように見えるので、かご７が大きく、豪華に見え、見栄えが向上する。
【００１７】
また、かご７から間口方向の両側に延出する鏡面板１６に部位が、昇降路１の開口部２を塞いでいるので、外界からかご７周りの機器類が隠され、見栄えが向上する。さらに、かご室８内の乗客は、コンクリートむき出しの昇降路側壁３を見ることがなく、快適にエレベータ装置を利用することができる。
【００１８】
ここで、鏡面板１６の反射率が１００％であると、通行人が鏡面板１６で反射された太陽光を受け、眩しく感じる事態を生じる。そこで、鏡面板１６での太陽光の反射を抑え、通行人が眩しくないようにするという観点から、鏡面板１６にクリヤー塗装を施し、過度な反射を防ぐなどの反射率低下処理を行うことが好ましい。
【００１９】
実施の形態２．
図３はこの発明の実施の形態２に係る展望用エレベータ装置を示す横断面図である。
【００２０】
図３において、透明体である昇降路ガラス３０が、開口部２を挟む昇降路側壁３の先端部に、昇降路１の高さ方向の全域にわたり、開口部２を塞ぐように配設されている。そして、かご７が、展望窓１０を開口部２から延出させ、かつかご７の鏡面板７の反出入り口側を露呈させて、昇降路ガラス３０の内側を昇降する。
なお、この実施の形態２は、開口部２が昇降路ガラス３０により覆われたエンクローズ型の昇降路である点を除いて、上記実施の形態１と同様に構成されている。
【００２１】
したがって、この実施の形態２においても、上記実施の形態１と同様の効果を奏する。
【００２２】
ここで、昇降路ガラス３０は、完全な透明体である必要はなく、例えばブラウン色のスモークガラスやスモークフィルムを透明ガラスに貼り付けたものを用いてもよい。この場合、昇降路ガラス３０の透視率が下がるので、鏡面板１６が取り付けられていることを通行人が判断しにくくなる。そこで、通行人は、鏡面板１６に映るかご室８の展望窓１０側を見て、展望窓１０が本当に出入り口側まであるように錯覚し易くなる。なお、スモークフィルムとは、黒や茶系の色に着色され、合成樹脂などで作られた透過性のあるフィルムである。
さらに、昇降路ガラス３０のスモークガラスの色を変えることにより、異なる雰囲気を醸し出す展望用エレベータ装置を実現できる。
【００２３】
実施の形態３．
図４はこの発明の実施の形態３に係る展望用エレベータ装置を示す横断面図、図５はこの発明の実施の形態３に係る展望用エレベータ装置のかごを外界側から見た斜視図である。
【００２４】
図４および図５において、Ｌ字状の隠し枠３１が、開口部２を挟む両昇降路側壁３の先端部に、昇降路１の高さ方向の全域にわたり延設されている。そして、鏡面板１６の間口方向の両端部が、高さ方向の全域にわたって、隠し枠３１内に挿入されている。
なお、他の構成は、上記実施の形態１と同様に構成されている。
【００２５】
したがって、この実施の形態３においても、上記実施の形態１と同様の効果を奏する。
さらに、鏡面板１６の間口方向の両端部が、高さ方向の全域にわたって隠し枠３１内に挿入されているので、鏡面板１６の間口方向の両端部が隠し枠３１により隠され、鏡面板１６が取り付けられていることが通行人に分かりにくくなっている。これにより、展望窓１０が出入り口側まであるように自然に見えるので、見栄えが向上する。
【００２６】
実施の形態４．
図６はこの発明の実施の形態４に係る展望用エレベータ装置を示す横断面図、図７はこの発明の実施の形態４に係る展望用エレベータ装置のかごを外界側から見た斜視図である。
【００２７】
図６および図７において、昇降路ガラス３０が、開口部２を挟む昇降路側壁３の部位に、昇降路１の高さ方向の全域にわたり、開口部２を塞ぐように配設されている。そして、かご７が、建屋の外面に横向きとなるように、かつ展望窓１０の一部を開口部２から延出させて、昇降路ガラス３０の内側を昇降する。
【００２８】
第１鏡面板３２ａが、ブラケット１７を間口方向一側の側壁９の外面、天井の上面、およびかご床１４の下面に取り付けられた取付金具（図示せず）に締着固定されて、間口方向一側の展望窓１０、かご上部外装１５ａおよびかご下部外装１５ｂの出入り口側に、展望窓１０、かご上部外装１５ａおよびかご下部外装１５ｂに近接して、間口方向一側の側壁９の外面、天井の上面、およびかご床１４の下面に直交するように、かご７に配設されている。また、第１鏡面板３２ａは、かご７から上下方向および間口方向一側に延出する外形形状に形成されている。そして、第１鏡面板３２ａが、間口方向一側の昇降路側壁３の先端部とかご７との間の隙間を塞いでいる。
【００２９】
第２鏡面板３２ｂが、ブラケット１７を天井の上面、およびかご床１４の下面に取り付けられた取付金具（図示せず）に締着固定されて、かご上部外装１５ａおよびかご下部外装１５ｂの間口方向他側に、かご上部外装１５ａおよびかご下部外装１５ｂに近接して、第１鏡面板３２ａ、天井の上面、およびかご床１４の下面に直交するように、かご７に配設されている。また、第２鏡面板３２ｂは、かご７から上下方向および背面側に延出する外形形状に形成されている。そして、第２鏡面板３２ｂが、かご７と背面側（反出入り口側）の昇降路側壁３との間の隙間を塞いでいる。
なお、他の構成は、上記実施の形態１と同様に構成されている。
【００３０】
このように構成された展望用エレベータ装置においては、かご７を外界側から見たときに、かご室８の展望窓１０側、かご上部外装１５ａおよびかご下部外装１５ｂが図７に示されるように第１および第２鏡面板３２ａ，３２ｂに映って見える。また、かご７周りの機器類が第１および第２鏡面板３２ａ，３２ｂにより隠される。
したがって、この実施の形態４においても、上記実施の形態１と同様の効果を奏する。
【００３１】
実施の形態５．
図８はこの発明の実施の形態５に係る展望用エレベータ装置の要部を示す横断面図、図９はこの発明の実施の形態５に係る展望用エレベータ装置のかごを外界側から見た斜視図である。
【００３２】
図８および図９において、展望窓４０は、かご室８の背面側の三面のガラス窓、即ち間口方向両側の側部ガラス窓４１，４２とその間に位置する中央部ガラス窓４３とにより構成されている。そして、側部ガラス窓４１，４２が、蝶番などにより開閉可能に構成されている。さらに、かご上部外装４４が、奥行き方向にスライド移動可能にかご室８の展望窓４０側の上部に配設されている。なお、奥行き方向とは、間口方向と水平方向に直交する方向である。
【００３３】
鏡面板４５は、矩形平板状に作製され、かご７の間口方向一側に配設される第１側部鏡面板４６と、矩形平板状に作製され、かご７の間口方向他側に配設される第２側部鏡面板４７と、第１側部鏡面板４６と第２側部鏡面板４７との間に位置し、かご上部外装４４およびかご下部外装１５ｂに隣接してかご室８の上部および下部に配設される上部および下部鏡面板４８，４９と、から構成されている。そして、第１および第２側部鏡面板４６，４７は、ブラケット１７をかご室８の側壁９に取り付けられた取付金具３５に軸心を上下方向とする軸周り、即ち鉛直軸周りに回動可能に連結され、かご室８に取り付けられている。
【００３４】
隠し枠３１が、開口部２を挟む両昇降路側壁３の先端部に、昇降路１の高さ方向の全域にわたり延設されている。そして、昇降路１の最下階付近において、隠し枠３１の鏡面板４５の上下方向長さより長い領域が回動可能な隠し枠開閉部３３に構成され、清掃ゾーンを構成している。
さらに、昇降路ガラス３０が、開口部２を挟む昇降路側壁３の先端部に、昇降路１の高さ方向の全域にわたり、開口部２を塞ぐように配設されている。そして、かご７が、展望窓４０を開口部２から延出させて、昇降路ガラス３０の内側を昇降する。
【００３５】
このように構成された展望用エレベータ装置では、かご７を外界側から見たときに、かご室８の展望窓４０側およびかご上部外装４４およびかご下部外装１５ｂが鏡面板４５に映って見える。また、かご７周りの機器類が鏡面板４５により隠される。
したがって、この実施の形態５においても、上記実施の形態１と同様の効果を奏する。
【００３６】
つぎに、このように構成された展望用エレベータ装置における鏡面板４５の清掃作業について図１０乃至図１２を参照しつつ説明する。
【００３７】
まず、作業者Ｍがかご室８内に乗り込み、かご操作盤を操作して保守点検モードに切り換え、かご７を最下階付近まで移動させ、鏡面板４５を隠し枠開閉部３３内に、即ち清掃ゾーンに位置させて停止する。
【００３８】
ついで、作業者Ｍは、側部ガラス窓４１を開け、隠し枠開閉部３３の固定を解除して隠し枠開閉部３３を回動し、第１側部鏡面板４６の側端部を露出させる。そして、作業者Ｍは、第１側部鏡面板４６の固定を解除し、取付金具３５との連結部周りに手前に回動させ、図１０および図１１に示されるように、清掃用具３６により第１側部鏡面板４６を清掃する。
第１側部鏡面板４６の清掃が終了すると、第１側部鏡面板４６を回動して通常状態に復帰させ、第１側部鏡面板４６を固定する。ついで、隠し枠開閉部３３を回動してつ通常状態に復帰させ、隠し枠開閉部３３を固定する。さらに、側部ガラス窓４１を閉じ、側部ガラス窓４１を固定して、第１側部鏡面板４６の清掃作業が終了する。
なお、第２側部鏡面板４７の清掃作業も、同様に行われるので、ここでは、その説明を省略する。
【００３９】
ついで、作業者Ｍは、かご室８の天井に設けられた非常口（図示せず）よりかご室８の上部に上がり、かご上部外装４４の固定を解除し、かご上部外装４４を奥行き方向にスライド移動させ、かご室８の上部の上部鏡面板４８側を開放する。そして、作業者Ｍは、図１２に示されるように、かご室８の上部に立ち、清掃用具３６により上部鏡面板４８を清掃する。さらに、第１および第２側部鏡面板４６，４７の上部領域を清掃用具３６により清掃する。
上部鏡面板４８の清掃が終了すると、かご上部外装４４をスライド移動させて通常状態に復帰させ、かご上部外装４４を固定する。ついで、かご室８内に降り、非常口を閉じて、上部鏡面板４８の清掃作業が終了する。
【００４０】
なお、第１および第２側部鏡面板４６，４７の下部領域および下部鏡面板４９の清掃作業は、作業者Ｍが昇降路１の底部に降り、脚立に上って行う。
【００４１】
ここで、隠し枠開閉部３３、側部ガラス窓４１，４２、第１および第２側部鏡面板４６，４７の回動を検知するスイッチを配備し、スイッチが回動を検知すると、かご７の運転モードが自動的に保守点検モードに切り替わるように制御してもよい。さらに、スイッチが回動を検知すると、かご７の昇降を不能とするように制御してもよい。
また、保守点検時には、作業者Ｍは、かご室８の天井に設けられた非常口よりかご室８の上部に上がり、かご上部外装４４の固定を解除し、かご上部外装４４を奥行き方向にスライド移動させ、かご室８の上部の上部鏡面板４８側を開放する。かご室８の上部に立って、作業することになる。
【００４２】
この実施の形態５によれば、展望窓４０が、開口部２の一側に面する側部ガラス窓４１と、開口部２の他側に面する側部ガラス窓４２と、を有し、側部ガラス窓４１，４２が開閉可能に構成されている。そこで、側部ガラス窓４１，４２を開けて、かご室８内から第１および第２側部鏡面板４６，４７を清掃できるので、かご７の外部に出ての清掃作業を不要にできる。
【００４３】
また、隠し枠開閉部３３が、鏡面板４５の端部を遮蔽する位置と鏡面板４５の端部を露呈させる位置とをとるように開閉可能に構成されている。また、鏡面板４５が、開口部２の一側の昇降路側壁３に面するかご７の側面に軸心を上下方向とする軸周りに回動可能に取り付けられた第１側部鏡面板４６と、開口部２の他側の昇降路側壁３に面するかご７の側面に軸心を上下方向とする軸周りに回動可能に取り付けられた第２側部鏡面板４７と、を有する。そこで、第１および第２側部鏡面板４６，４７を側部ガラス窓４１，４２に近づけて、かご室８内から第１および第２側部鏡面板４６，４７を清掃できるので、第１および第２側部鏡面板４６，４７の清掃の作業負荷が軽減できるとともに、作業時間を大幅に短縮できる。
【００４４】
また、かご上部外装４４がかご室８の上部にスライド可能に取り付けられている。そこで、かご室８の上部が開放され、かご室８の上部に上がって上部鏡面板４８の清掃や、保守点検ができるので、上部鏡面板４８の清掃や保守点検の作業負荷が軽減できるとともに、作業時間を大幅に短縮できる。
また、隠し枠開閉部３３が昇降路１の最下階付近に形成されているので、清掃作業が低所での作業となり、作業負荷を軽減できる。
【００４５】
実施の形態６．
図１３はこの発明の実施の形態６に係る展望用エレベータ装置における上部鏡面板の清掃作業を説明する斜視図である。
【００４６】
図１３において、かご上部外装５０は、かご室８の展望窓４０側の上部に配設されている。そして、カバー５１が蝶番等を介してかご上部外装５０に開閉可能に取り付けられ、かご上部外装５０の上部鏡面板４８側の部位を開放可能に構成されている。
なお、他の構成は上記実施の形態５と同様に構成されている。
【００４７】
この実施の形態６による展望用エレベータ装置における上部鏡面板４８の清掃作業について説明する。
【００４８】
作業者Ｍは、かご室８の天井に設けられた非常口よりかご室８の上部に上がり、カバー５１の固定を解除し、カバー５１を開け、かご室８の上部の上部鏡面板４８側を開放する。そして、作業者Ｍは、かご室８の上部に立ち、清掃用具３６により上部鏡面板４８を清掃する。さらに、第１および第２側部鏡面板４６，４７の上部領域を清掃用具３６により清掃する。
上部鏡面板４８の清掃が終了すると、カバー５１を閉じ、カバー５１を固定する。ついで、かご室８内に降り、非常口を閉じて、上部鏡面板４８の清掃作業が終了する。
【００４９】
したがって、この実施の形態６においても、上記実施の形態５と同様の効果を奏する。
【００５０】
なお、上記各実施の形態では、釣り合い重りを有するロープ式エレベータ装置について説明しているが、本発明は、釣り合い重りのない油圧式エレベータ装置に適用できることは言うまでもないことである。
【符号の説明】
【００５１】
１  昇降路、２  開口部、３  昇降路側壁、７  かご、８  かご室、１０  展望窓、１５ａ  かご上部外装、１５ｂ  かご下部外装、１６  鏡面板、３０  昇降路ガラス（透明板）、３１  隠し枠、３３  隠し枠開閉部、３５  取付金具、４０  展望窓、４１，４２  側部ガラス窓、４４  かご上部外装、４５  鏡面板、４６  第１側部鏡面板、４７  第２側部鏡面板、４８  上部鏡面板、４９  下部鏡面板、５０  かご上部外装。
【図１】
0005495856.tif 000002
【図２】
0005495856.tif 000003
【図３】
0005495856.tif 000004
【図４】
0005495856.tif 000005
【図５】
0005495856.tif 000006
【図６】
0005495856.tif 000007
【図７】
0005495856.tif 000008
【図８】
0005495856.tif 000009
【図９】
0005495856.tif 000010
【図１０】
0005495856.tif 000011
【図１１】
0005495856.tif 000012
【図１２】
0005495856.tif 000013
【図１３】
0005495856.tif 000014